(57)【特許請求の範囲】
【請求項１】
フレーム部内に縦ガットと横ガットとを交差重合配設して形成したガット面を設けたラケットにおいて、前記ガット面の上部及び下部に、前記縦ガットの長さ方向に沿って並設する前記横ガットを表裏交互に交差重合配設して前記縦ガットと前記横ガットとを編み込み状態で交差配設した編組部を設け、この上下の編組部の間となる前記ガット面の上下方向中央部の表側と裏側とのいずれか一側に、並設する複数の前記縦ガットの各々に対して、並設する前記横ガットがこの縦ガットの長さ方向に沿って表裏交互に交差重合配設せず、各々の縦ガットが並設する複数の前記横ガット上に載置重合配設した無編組部を設けて、この無編組部に位置する縦ガットを前記編組部に位置する縦ガットに比して前記横ガットの長さ方向に撓み移動し易い構成としたことを特徴とするラケット。
【請求項２】
前記無編組部は、前記フレーム部内に並設する複数の縦ガットに対して、この縦ガットの長さ方向に並設する前記横ガットを連続して表側に交差重合配設した縦ガットと、連続して裏側に交差重合配設した縦ガットとを交互に並設している構成としたことを特徴とする請求項１記載のラケット。
【請求項３】
フレーム部内に縦ガットと横ガットとを交差重合配設して形成したガット面を設けたラケットにおいて、前記ガット面の全面若しくは一部に、前記縦ガットに対して、この縦ガットの長さ方向に並設する前記横ガットを連続して前記縦ガットの表側と裏側とのいずれか一側に交差重合配設した無編組部を設けた構成とし、この無編組部は、前記フレーム部内に並設する複数の縦ガットに対して、この縦ガットの長さ方向に並設する前記横ガットを連続して表側に交差重合配設した縦ガットと、連続して裏側に交差重合配設した縦ガットとを交互に並設している構成としたことを特徴とするラケット。
【発明の詳細な説明】
【技術分野】
【０００１】
本発明は、例えばテニスやスカッシュ等で使用するガット面を有するラケットに関するものである。
【背景技術】
【０００２】
テニスにおいて、ボールにトップスピンをかけて打つ技術は重要な技術であり、このトップスピンは、ガット面に張設された縦ガットのスナップバックによってもたらされるものである。
【０００３】
このスナップバックとは、ボールがガット面に接触した瞬間、縦ガットが横ガットの長さ方向に沿って下方（地面側）に動き、更にこの動いた縦ガットが元の位置に戻る現象のことを言い、この動いた縦ガットが元の位置に戻る際にボールに回転（順回転）、即ちトップスピンを付与しており、また、縦ガットの動く量、即ち移動幅が大きく、且つ、動いた縦ガットの戻りが早い、即ち復元力が大きい（強い）ほど、強い回転をボールに付与すると言われている。
【０００４】
このスナップバックを生じさせるためには、スイングスピードを速くしてボールを強く打つことも重要ではあるが、最も重要なことは、縦ガットでボールを捉える感覚を身につけることと、そして、縦ガットにスナップバックが生じる打ち方、即ちトップスピンを打つスイングフォームを身につけることである。
【０００５】
そのためには、自分がどのようなスイングをすればボールにトップスピンがかかるかということを認識する必要があるが、このトップスピン技術を身につけたいという初・中級者、中でも非力な人やスイングスピードが遅い人は、従来のラケットではほとんどトップスピンをかけられないため、どのようにスイングしたらボールにトップスピンがかかるかを体感することができず、故に、従来は、初・中級者、特に非力な人やスイングスピードが遅い人は、トップスピンの打球を打つ技術を体得することが困難であった。
【発明の概要】
【発明が解決しようとする課題】
【０００６】
本発明は、上述のような現状に鑑みて、非力な人やスイングスピードが遅い人でも容易にスピンのかかった打球を打つことができ、これにより、スピンをかける打ち方（スイングフォーム）を体得することが容易に可能となる画期的なラケットを提供することを目的とする。
【課題を解決するための手段】
【０００７】
添付図面を参照して本発明の要旨を説明する。
【０００８】
フレーム部１内に縦ガット２と横ガット３とを交差重合配設して形成したガット面４を設けたラケットにおいて、前記ガット面４の上部及び下部に、前記縦ガット２の長さ方向に沿って並設する前記横ガット３を表裏交互に交差重合配設して前記縦ガット２と前記横ガット３とを編み込み状態で交差配設した編組部６を設け、この上下の編組部６の間となる前記ガット面４の上下方向中央部の表側と裏側とのいずれか一側に、並設する複数の前記縦ガット２の各々に対して、並設する前記横ガット３がこの縦ガット２の長さ方向に沿って表裏交互に交差重合配設せず、各々の縦ガット２が並設する複数の前記横ガット３上に載置重合配設した無編組部５を設けて、この無編組部５に位置する縦ガット２を前記編組部６に位置する縦ガット２に比して前記横ガット３の長さ方向に撓み移動し易い構成としたことを特徴とするラケットに係るものである。
【０００９】
また、前記無編組部５は、前記フレーム部１内に並設する複数の縦ガット２に対して、この縦ガット２の長さ方向に並設する前記横ガット３を連続して表側に交差重合配設した縦ガット２と、連続して裏側に交差重合配設した縦ガット２とを交互に並設している構成としたことを特徴とする請求項１記載のラケットに係るものである。
【００１０】
また、フレーム部１内に縦ガット２と横ガット３とを交差重合配設して形成したガット面４を設けたラケットにおいて、前記ガット面４の全面若しくは一部に、前記縦ガット２に対して、この縦ガット２の長さ方向に並設する前記横ガット３を連続して前記縦ガット２の表側と裏側とのいずれか一側に交差重合配設した無編組部５を設けた構成とし、この無編組部５は、前記フレーム部１内に並設する複数の縦ガット２に対して、この縦ガット２の長さ方向に並設する前記横ガット３を連続して表側に交差重合配設した縦ガット２と、連続して裏側に交差重合配設した縦ガット２とを交互に並設している構成としたことを特徴とするラケットに係るものである。
【発明の効果】
【００１１】
本発明は上述のように構成したから、非力な人やスイングスピードが遅い人でも容易に縦ガットでボールを捉える感覚を体得することができ、また、容易にボールにトップスピンをかけて打つことができるので、これにより、どのようなスイングをすればボールにより多くのスピンをかけることができるということを自分自身で確認することができ、よって、本発明のラケットを用いてトップスピンの打ち方を練習すれば、よりスピン量を向上させるテクニック、即ちスイングする方向や縦ガットの使い方、更にはラケットの加速方法等、トップスピンを打つためのスイングが自然と体得することができる画期的なラケットとなる。
【図面の簡単な説明】
【００１２】
【図１】本実施例を示す説明正面図である。
【図２】本実施例のガット面の無編組部と編組部とにおける縦ガットと横ガットとの交差重合状態を示す説明正面図である。
【図３】本実施例の別例を示す説明正面図である。
【発明を実施するための形態】
【００１３】
好適と考える本発明の実施形態を、図面に基づいて本発明の作用を示して簡単に説明する。
【００１４】
従来のラケットのガット面は、フレーム部内に並設状態に張設した縦ガットに対して、横ガットを並設する縦ガットに対して表裏交互に通しながら交差重合して縦ガットに編み込んでゆく際、各々の縦ガットの長さ方向に対しても、この編み込んだ横ガットが表側と裏側とに交互に交差重合するようにして張設している。
【００１５】
即ち、従来のラケットのガット面は、ガット面全体が縦ガットと横ガットとが編み込まれた状態で形成されており、これにより、縦ガットは横ガットに押さえ付けられた状態となって、スナップバックが生じにくい状態となっている。
【００１６】
これに対して、本発明のラケットのガット面４は、このガット面４の上下方向中央部に、縦ガット２に対して、この縦ガット２の長さ方向に並設する横ガット３を連続して縦ガット２の表側と裏側とのいずれか一側に交差重合配設した無編組部５を設けた構成としたから、この無編組部５に位置する縦ガット２は横ガット３による押え付けがなく、従って、横ガット３の長さ方向に沿って大きく、しかも容易に移動することができるので、一般的なトップスピンを掛けるスイング、例えばボールを下から上に向かって擦るようなスイングや、ガット面４を閉じ気味に角度をつけてフラットにスイングして、このガット面４の中央部に設けた無編組部５でボールを打つだけで、非力な人やスイングスピードが遅い人でも、容易に縦ガット２のスナップバックが起こり、このスナップバックによりトップスピンがかかった打球を打つことができる。
【００１７】
即ち、本発明は、非力な人やスイングスピードが遅い人でも容易に縦ガット２でボールを捉える感覚を体得することができ、また、容易にボールにトップスピンをかけて打つことができるので、これにより、どのようなスイングをすればボールにより多くのスピンをかけることができるということを自分自身で確認することができ、よって、本発明のラケットを用いてトップスピンの打ち方を練習すれば、よりスピン量を向上させるテクニック、即ちスイングする方向や縦ガットの使い方、更にはラケットの加速方法等、トップスピンを打つためのスイングが自然と体得することができる画期的なラケットとなる。
【実施例】
【００１８】
本発明の具体的な実施例について図面に基づいて説明する。
【００１９】
本実施例は、本発明のラケットをテニスラケットとして構成した場合であり、フレーム部１内に縦ガット２と横ガット３とを交差重合配設して形成したガット面４を設けたラケットである。
【００２０】
また、本実施例の特徴的構成要件は、このフレーム部１に設けたガット面４の構成にあり、このガット面４を設けたフレーム部１及びグリップ部７並びにこのフレーム部１とグリップ部７とを連接するスロート部８の構成自体は通例のテニスラケットと同じ構造を採用している。
【００２１】
また、更に、ガット面４を形成する縦ガット２及び横ガット３の素材及び張設本数並びにガットをフレーム部１に張設する際の張力（テンション）も通例の範囲内の構成とし、具体的には、縦ガット２及び横ガット３の素材は、ガットの代表的な材質である、ナチュラルガット（牛や羊等の動物の腸を素材としたガット）、ナイロンガット、ポリエステルガット、アラミド繊維ガット等を採用し、張設本数は、縦ガット２を１６本〜１８本、横ガット３を１８本〜２０本とし、また、テンションは、４５〜６５ポンドに設定した構成としている。
【００２２】
以下、本実施例の特徴的構成要件であるガット面４の構成について詳述する。
【００２３】
本実施例のガット面４は、このガット面４の上下方向中央部に、縦ガット２に対して、この縦ガット２の長さ方向に並設する横ガット３を連続して縦ガット２の表側と裏側とのいずれか一側に交差重合配設した無編組部５を設けた構成としている。
【００２４】
具体的には、ガット面４の上部及び下部に、縦ガット２の長さ方向に沿って並設する横ガット３を表裏交互に交差重合配設して縦ガット２と横ガット３とを編み込み状態で交差配設した編組部６を設け、この上下の編組部６の間となるガット面４の中央部に、並設する複数の縦ガット２の各々に対して、並設する横ガット３がこの縦ガット２の長さ方向に沿って表裏交互に交差重合配設せず、各々の縦ガット２が並設する複数の横ガット３上に載置重合配設した無編組部５を設けて、この無編組部５に位置する縦ガット２を編組部６に位置する縦ガット２に比して横ガット３の長さ方向に撓み移動し易い構成としている。
【００２５】
更に具体的に説明すると、ガット面４の上部及び下部に夫々設けた編組部６は、上下方向の長さが横ガット３、４〜６本分程度、左右方向は縦ガット２全本分のエリアとすることが好ましく、本実施例では、図１に示すように、上下各編組部６は、横ガット３、５本分のエリアに形成した構成としている。
【００２６】
従って、この上下各編組部６に挟まれた無編組部５は、図１の囲みＡに示すような上下方向の長さが横ガット３、９本分、左右方向は縦ガット２、全本分の方形状のエリアに形成した構成としている。
【００２７】
本実施例の無編組部５を更に詳細に説明するため、本実施例のガット面４の張設方法、即ち無編組部５と編組部６との形成方法をガット面４の一部を示した図２を用いて説明する。
【００２８】
本実施例のフレーム部１にガット面４を形成する場合、先ず、従来のラケットのガットの張設方法と同様に、フレーム部１に全ての縦ガット２を並設状態に張設し、この並設状態に張設した縦ガット２に対して、フレーム部１の上側から横ガット３を順に張設して編組部６を形成する。
【００２９】
本実施例では、ガット面４の上側の横ガット３ａ〜横ガット３ｅの５本を、従来のラケット同様の方法で張設して編組部６を形成している。
【００３０】
具体的には、例えば、横ガット３ａを縦ガット２Ａの表側、縦ガット２Ｂの裏側、縦ガット２Ｃの表側というように表裏交互に通して並設する縦ガット２全てにこの横ガット３ａを編み込みながら張設したら、次の横ガット３ｂは、縦ガット２Ａの裏側、縦ガット２Ｂの表側、縦ガット２Ｃの裏側というように、横ガット３ａと交差重合面が反対になるようにして表裏交互に通して並設する縦ガット２全てにこの横ガット３ｂを編み込みながら張設し、その次の横ガット３ｃは、再び、横ガット３ａと同様に、縦ガット２Ａの表側、縦ガット２Ｂの裏側、縦ガット２Ｃの表側というように表裏交互に通して並設する縦ガット２全てにこの横ガット３ｃを編み込みながら張設し、これを横ガット３ｅまで繰り返して、各縦ガット２に対して、横ガット３ａ〜横ガット３ｅが並設する縦ガット２全ての長さ方向に対して表裏交互に交差重合するようにして編み込み張設して編組部６を形成している。
【００３１】
次にフレーム部１の中央部に無編組部５を形成する。
【００３２】
本実施例では、ガット面４の中央部の横ガット３ｆ〜横ガット３ｎの９本の横ガット３で無編組部５を形成している。
【００３３】
具体的には、本実施例では、上側の編組部６の最後の横ガット３ｅを縦ガット２Ａの表側、縦ガット２Ｂの裏側、縦ガット２Ｃの表側というように表裏交互に通して並設する縦ガット２全てにこの横ガット３ｅを編み込みながら張設したので、この無編組部５の最初の横ガット３ｆは、縦ガット２Ａの裏側、縦ガット２Ｂの表側、縦ガット２Ｃの裏側というように、横ガット３ｅと交差重合面が反対になるようにして表裏交互に通して並設する縦ガット２全てにこの横ガット３ｆを編み込みながら張設する。
【００３４】
また、編組部６では、次の横ガット３は、前の横ガット３と交差重合面が反対になるようにして表裏交互に通して張設するが、この無編組部５では、前の横ガット３と交差重合面が同じになるように、言い換えると、交差重合面が連続して同じ面となるように表裏交互に通して張設する。
【００３５】
即ち、横ガット３ｆの次に張設する横ガット３ｇ、その次に張設する横ガット３ｈも、横ガット３ｆと同様に、縦ガット２Ａの裏側、縦ガット２Ｂの表側、縦ガット２Ｃの裏側というように表裏交互に通して並設する縦ガット２全てにこの横ガット３ｇ，３ｈを編み込みながら張設し、これを横ガット３ｎまで繰り返して、各縦ガット２に対して、横ガット３ｆ〜横ガット３ｎが並設する縦ガット２全ての長さ方向に対して連続して表側、裏側のいずれか一側に交差重合するようにして編み込み張設して編組部６を形成している。
【００３６】
本実施例では、上述したように横ガット３を張設したので、図２に示すように、縦ガット２Ａは、この縦ガット２Ａの長さ方向に対して横ガット３が連続して裏側で交差重合し、隣の縦ガット２Ｂは、この縦ガット２Ｂの長さ方向に対して横ガット３が連続して表側で交差重合し、縦ガット２Ｃ〜縦ガット２Ｈまで（実際は、図示されていない縦ガット２を含め、並設する全ての縦ガット２に対して）この表裏交互に交差重合が繰り返されて、フレーム部１内に並設する複数の縦ガット２に対して、この縦ガット２の長さ方向に並設する横ガット３を連続して表側に交差重合配設した縦ガット２と連続して裏側に交差重合配設した縦ガット２とが交互に並設することとなる。
【００３７】
即ち、本実施例の無編組部５は、ガット面４の表側は、縦ガット２Ａ，縦ガット２Ｃ，縦ガット２Ｅ，…が一本おきに横ガット３上に載置状態で交差重合し、ガット面４の裏面は、縦ガット２Ｂ，縦ガット２Ｄ，縦ガット２Ｆ，…が一本おきに横ガット３上に載置状態で交差重合した状態のものとなる。
【００３８】
最後に、ガット面４の下側の横ガット３ｏ〜横ガット３ｓの５本を、再び、上部の編組部６を形成した際と同様の張設方法、即ち従来のラケット同様の張設方法で張設して編組部６を形成し、以上の作業でガット面４の形成（張設作業）が完了となる。
【００３９】
尚、上部及び下部の編組部６、並びに中央部の無編組部５を形成する横ガット３の張設本数は上記に限らず適宜変更可能なものとし、例えば、編組部６の横ガット３の本数を少なくし、無編組部５の横ガット３の本数を多くすれば、無編組部５の上下方向のエリアが広くなり、初心者でも確実に無編組部５でボールを打つことができるようになり、例えば技術が向上するに連れ、無編組部５の横ガット３の本数を少なくして無編組部５の上下方向のエリアを狭くしていっても良い。
【００４０】
また、上述した無編組部５を形成する横ガット３ｆ〜横ガット３ｎのガット面４の左右の編み込み、言い換えると、並設する縦ガット２への通し始めと通し終わりの数本分に対して、編組部６と同様、縦ガット２の長さ方向に対して横ガット３が表裏交互に交差重合するように通し、左右方向中央部（ガット面４の幅方向中央部）は、上述したように、縦ガット２の長さ方向に対して横ガット３が連続して同じ面に交差重合するように通して張設しても良く、このように無編組部５の横ガット３を張設することで、無編組部５は、図３の囲みＢに示すような左右方向のエリアが狭い方形状のエリアに変更することが可能となる。
【００４１】
上述のように構成した本実施例の作用・効果について以下に説明する。
【００４２】
本実施例のラケットは、ガット面４の上下方向中央部に、縦ガット２に対して、この縦ガット２の長さ方向に並設する横ガット３を連続して縦ガット２の表側と裏側とのいずれか一側に交差重合配設した無編組部５を設けた構成としたから、この無編組部５に位置する縦ガット２は横ガット３による押え付けがなく、従って、横ガット３の長さ方向に沿って大きく、しかも容易に移動することができるので、一般的なトップスピンを掛けるスイング、例えばボールを下から上に向かって擦るようなスイングや、ガット面４を閉じ気味に角度をつけてフラットにスイングして、このガット面４の中央部に設けた無編組部５でボールを打つだけで、非力な人やスイングスピードが遅い人でも、容易に縦ガット２のスナップバックが起こり、このスナップバックによりトップスピンがかかった打球を打つことができる。
【００４３】
しかも、本実施例は、ガット面４の中央部に無編組部５を設け、この無編組部５の上下方向夫々に、即ちガット面４の上部と下部の夫々に編組部６を設けた構成としたから、無編組部５の縦ガット２の両端部が編組部６によりしっかりと押え付けられて、縦ガット２が撓み移動した際の元の位置へ戻る復元力が効果的に発揮され、これにより、縦ガット２が大きく撓み移動し、且つ素早く元の位置に戻る大きなスナップバックを発揮することができることとなり、より一層容易にトップスピンがかかった打球を打つことができる。
【００４４】
更に、本実施例は、無編組部５を、並設する横ガット３に対して、この横ガット３の表側に連続して交差重合する縦ガット２と裏側に連続して交差重合する縦ガット２とが交互に、即ち一本おきに配設した構成としたから、ガット面４の表裏両面に縦ガット２と横ガット３との凹凸差（段差）が編組部６に比べて大きくなり、これにより、より確実に縦ガット２がボールを捉え、より確実にボールにトップスピンをかけることができる。
【００４５】
このように、本実施例は、非力な人やスイングスピードが遅い人でも容易に縦ガット２でボールを捉える感覚を体得することができ、また、容易にボールにトップスピンをかけて打つことができるので、これにより、どのようなスイングをすればボールにより多くのスピンをかけることができるということを自分自身で確認することができ、よって、本実施例のラケットを用いてトップスピンの打ち方を練習すれば、よりスピン量を向上させるテクニック、即ちスイングする方向や縦ガットの使い方、更にはラケットの加速方法等、トップスピンを打つためのスイングが自然と体得することができる画期的なラケットとなる。
【００４６】
尚、本実施例は、ガット面４の表裏両面に無編組部５を設けた構成としたから、トップスピンだけでなく、バックスピンやスライスの技術の体得にも有効なものとなる。
【００４７】
また、本発明は、本実施例に限られるものではなく、各構成要件の具体的構成は適宜設計し得るものである。
【符号の説明】
【００４８】
１  フレーム部
２  縦ガット
３  横ガット
４  ガット面
５  無編組部
６  編組部
【図１】
0005934175.tif 000002
【図２】
0005934175.tif 000003
【図３】
0005934175.tif 000004